(57)【要約】【課題】  水が防水服の内部へ侵入するのを防止することのできる水中用履物を提供する。【解決手段】  サーフィン、ダイビング、あるいはカヌー等の水中スポーツを行う際に防水服２と共に着用するものであり、筒状の胴部１０と履物本体部２０とで構成されたブーツ状である。胴部１０の少なくとも上部を二つの筒壁１１で底部１２ａを密閉した二層構造に形成し、その二つの筒壁１１の間を、防水服２の裾口２ａを挿入して密に挟み込む収納部１２とする。【選択図】      図１
2010104419.tif 000002
【特許請求の範囲】
【請求項１】
サーフィン，ダイビング，あるいはカヌー等の水中スポーツを行う際に防水服（２）と共に着用する，筒状の胴部（１０）と履物本体部（２０）とで構成されたブーツ状の水中用履物であって、前記胴部の少なくとも上部を二つの筒壁（１１）で底部（１２ａ）を密閉した二層構造に形成し，該二つの筒壁の間を，前記防水服の裾口（２ａ）を挿入して密に挟み込む収納部（１２）としたことを特徴とする水中用履物。
【請求項２】
サーフィン，ダイビング，あるいはカヌー等の水中スポーツを行う際に防水服（２）と共に着用する，筒状の胴部（１０）と履物本体部（２０）とで構成されたブーツ状で，かつ，伸縮性を有する複数の発泡体生地片（Ｐ）を，その裁断面（Ｆ）同士を貼り合わせて形成した水中用履物であって、前記胴部の少なくとも上部を二つの筒壁（１１）で，前記裁断面同士の貼り合わせによって底部（１２ａ）を密閉した二層構造に形成し，その二つの筒壁の間を，前記防水服の裾口（２ａ）を挿入して密に挟み込む収納部（１２）とし、前記発泡体生地片の少なくとも踵部（２４）側の貼り合わせ部（Ｓ）を，足首部（１３）よりも下位または爪先部（２３）側に設けたことを特徴とする水中用履物。
【請求項３】
二層構造の収納部（１２）を形成する二つの筒壁（１１）の裁断面（Ｆ）の肉厚を、それに貼り合わされる一層構造の他部位の裁断面の肉厚と略等しく設定したことを特徴とする請求項２に記載の水中用履物。
【請求項４】
サーフィン，ダイビング，あるいはカヌー等の水中スポーツを行う際に防水服（２）と共に着用する，筒状の胴部（１０）と履物本体部（２０）とで構成されたブーツ状で，かつ，伸縮性を有する複数の発泡体生地片（Ｐ）を貼り合わせて形成した水中用履物であって、前記胴部の少なくとも上部を二つの筒壁（１１）のうち，内側の筒壁（１１ａ）の下端部に形成したテーパー状の裁断面（Ｆ）を，外側の筒壁（１１ｂ）に貼り合わせて底部（１２ａ）を密閉した二層構造に形成し，該二つの筒壁の間を，前記防水服の裾口（２ａ）を挿入して密に挟み込む収納部（１２）としたことを特徴とする水中用履物。
【発明の詳細な説明】
【技術分野】
【０００１】
本発明は、サーフィン、ダイビング、あるいはカヌー等の水中スポーツを行う際に、防水服と共に着用する水中用履物に関するものである。
【背景技術】
【０００２】
サーフィン、ダイビングあるいはカヌー等のいわゆる水中スポーツを行う際には、通常、保温と安全を目的として、防水服と共にクロロプレン等の無数の独立気泡を有する生地で形成した水中用履物を着用する。
【０００３】
こうした水中用履物のうち、所定の形状に裁断した複数の発泡体生地片を貼り合わせて、ブーツ状に形成したものがある（例えば、特許文献１参照）。
【特許文献１】特開２００５−５９４６５号公報
【発明の開示】
【発明が解決しようとする課題】
【０００４】
しかし、こうした従来の水中用履物は、その履き口部と防水服の裾口を単に重ねているに過ぎないので、水が裾口から防水服の内部や水中用履物の内部へ侵入してしまうといった問題がある。水が防水服の内部へ侵入してしまうと保温性が低下するなどの問題が発生するので好ましくない。
【０００５】
本発明はこうした問題に鑑み創案されたもので、水が防水服の内部へ侵入するのを防止することのできる水中用履物を提供することを課題とする。
【課題を解決するための手段】
【０００６】
用語の定義：防水服とはウェットスーツ等の防水服を意味する。
【０００７】
図１乃至図９を参照して説明する。請求項１に記載の水中用履物１は、サーフィン、ダイビング、あるいはカヌー等の水中スポーツを行う際に防水服２と共に着用する、筒状の胴部１０と履物本体部２０とで構成されたブーツ状である。そして、前記胴部１０の少なくとも上部を二つの筒壁１１で底部１２ａを密閉した二層構造に形成し、その二つの筒壁１１の間を、前記防水服２の裾口２ａを挿入して密に挟み込む収納部１２としたものである。
【０００８】
請求項２に記載の水中用履物１は、サーフィン、ダイビング、あるいはカヌー等の水中スポーツを行う際に防水服２と共に着用する、筒状の胴部１０と履物本体部２０とで構成されたブーツ状で、かつ、伸縮性を有する複数の発泡体生地片Ｐを、その裁断面Ｆ同士を貼り合わせて形成したものである。
【０００９】
そして、前記胴部１０の少なくとも上部を二つの筒壁１１で、前記裁断面Ｆ同士の貼り合わせによって底部１２ａを密閉した二層構造に形成し、その二つの筒壁１１の間を、前記防水服２の裾口２ａを挿入して密に挟み込む収納部１２とした。また、前記発泡体生地片Ｐの少なくとも踵部２４側の貼り合わせ部Ｓを、足首部１３よりも下位または爪先部２３側に設けた。
【００１０】
請求項３に記載の水中用履物１は、請求項２に記載の発明において、二層構造の収納部１２を形成する二つの筒壁１１の裁断面Ｆの肉厚を、それに貼り合わされる一層構造の他部位の裁断面Ｆの肉厚と略等しく設定したものである。
【００１１】
請求項４に記載の水中用履物１は、サーフィン、ダイビング、あるいはカヌー等の水中スポーツを行う際に防水服２と共に着用する、筒状の胴部１０と履物本体部２０とで構成されたブーツ状で、かつ、伸縮性を有する複数の発泡体生地片Ｐを貼り合わせて形成したものである。
【００１２】
そして、前記胴部１０の少なくとも上部を二つの筒壁１１のうち、内側の筒壁１１ａの下端部に形成したテーパー状の裁断面Ｆを、外側の筒壁１１ｂに貼り合わせて底部１２ａを密閉した二層構造に形成し、その二つの筒壁１１の間を、前記防水服２の裾口２ａを挿入して密に挟み込む収納部１２としたものである。
【発明の効果】
【００１３】
請求項１に記載の水中用履物１は、筒状の胴部１０と履物本体部２０とで構成し、胴部１０の少なくとも上部を二つの筒壁１１で二層構造に形成し、その二つの筒壁１１の間を、防水服２の裾口２ａを挿入して密に挟み込む収納部１２としたので、水が防水服２の内部および水中用履物１自体の内部に侵入するのを防止することができる。
【００１４】
すなわち、防水服２の裾口２ａの外周面は外側の筒壁１１ｂの内周面に密着し、また、裾口２ａの内周面は内側の筒壁１１ａの外周面に密着するので、この二つの密着面が水の通過を阻止する。また、収納部１２の底部１２ａは密閉されているので、この底部１２ａから防水服２の内部および水中用履物１の内部に水が侵入することもない。これにより、水の侵入を未然に防止することができる。
【００１５】
請求項２に記載の水中用履物１は、胴部１０の少なくとも上部を二つの筒壁１１で、底部１２ａを密閉した二層構造に形成し、その二つの筒壁１１の間を、防水服２の裾口２ａを挿入して密に挟み込む収納部１２としたので、請求項１に記載の発明と同様の理由で、水が防水服２の裾口２ａから内部へ侵入するのを防止することができる。
【００１６】
また、この水中用履物１は、伸縮性を有する複数の発泡体生地片Ｐを使用して形成しているので、収納部１２を防水服２の裾口２ａと密着させることができ、これによっても水の侵入を防止することができる。
【００１７】
また、複数の発泡体生地片Ｐの裁断面Ｆ同士を貼り合わせることによって底部１２ａを密閉した二層構造の収納部１２を形成しているので、その発泡体生地片Ｐの有する特性によって強固な貼り合わせを行うことができる。従って、収納部１２がその貼り合わせ部Ｓで破れてしまうことがなく、その結果、水の侵入をさらに確実に防止することができる。
【００１８】
なお、収納部１２の底部１２ａのみでなく、筒壁１１における２つの半筒壁同士などの他の貼り合わせ部Ｓにおいても強固な貼り合わせを行うことができるので、耐久性に優れる水中用履物１とすることができる。
【００１９】
さらに、この水中用履物１は、胴部１０と履物本体部２０との貼り合わせ部Ｓを、足首部１３よりも下位または爪先部２３側に設けている。これは、図６のＸで示すように、水中用履物１を装着する際には、足の踵Ｈに最も大きな挿入抵抗が作用するため、水中用履物１の胴部１０のうち、最も内径の小さい足首部１３に貼り合わせ部Ｓを設けてしまうと、この貼り合わせ部Ｓは接着剤によって伸縮し難い部分となっているため、踵Ｈを挿入（および抜き出し）することができ難くなり、装着がきわめて厄介になるからである。貼り合わせ部Ｓを足首部１３より下位（または爪先部２３側）に設けることで、こうした事態を未然に回避することができる。
【００２０】
請求項３に記載の水中用履物１は請求項２に記載の発明と同様の効果を発揮する。また、二層構造の収納部１２を形成する二つの筒壁１１の裁断面Ｆの肉厚を、それに貼り合わされる一層構造の他部位の裁断面Ｆの肉厚と略等しく設定したので、両者の裁断面Ｆの全体を貼り合わせることができる。従って、貼り合わせ部Ｓの強度をさらに高めることができる。さらに、これによって二層構造部分と一層構造部分との貼り合わせ部Ｓを段差のない平滑面とすることができるので、優れた履き心地と見栄えを提供することができる。
【００２１】
請求項４に記載の水中用履物１は、胴部１０の少なくとも上部を二つの筒壁１１のうち、内側の筒壁１１ａの下端部に形成したテーパー状の裁断面Ｆを、外側の筒壁１１ｂに貼り合わせて底部１２ａを密閉した二層構造に形成し、その二つの筒壁１１の間を、防水服２の裾口２ａを挿入して密に挟み込む収納部１２としたので、水が防水服２の内部に侵入するのを防止することができる。
【００２２】
また、内側の筒壁１１ａの裁断面Ｆをテーパー状としているので、外側の筒壁１１ｂに対する貼り付け面積を大きくすることができ、強固に貼り付けることができる。また、内側の筒壁１１ａと外側の筒壁１１ｂとの間に段差が形成されないので、外観を良くすることができる。
【発明を実施するための最良の形態】
【００２３】
本発明に係る水中用履物１の第一実施形態を、図１乃至図５に示す。これは、サーフィン、ダイビング、あるいはカヌー等の水中スポーツを行う際に防水服２と共に着用するものであり、筒状の胴部１０と履物本体部２０とで構成したブーツ状である。この水中用履物１は、伸縮性に富む複数の発泡体生地片Ｐを、その裁断面Ｆ同士を貼り合わせて形成している。発泡体生地片Ｐは、例えば独立気泡を有するクロロプレンを使用することができる。
【００２４】
また、胴部１０の全体を二つの筒壁１１で形成した二層構造とすると共に、履物本体部２０を一層構造としている。そして、二つの筒壁１１の間を、その下端の裁断面Ｆを履物本体部２０の上端の裁断面Ｆに貼り合わせ、その底部１２ａを密閉することによって収納部１２としている。この収納部１２には防水服２の裾口２ａを収納して、二つの筒壁１１でその裾口２ａを内外から密に挟持する。これにより、水が、防水服２の裾口２ａから内部へ侵入するのを防止することができる。
【００２５】
なお、履物本体部２０は、甲部２１と足裏部２２を形成する二枚の発泡体生地片Ｐを貼り合わせることによって一層構造に形成している。従って、二層構造の胴部１０との貼り合わせを良好に行うために、各筒壁１１の裁断面Ｆの肉厚を履物本体部２０の裁断面Ｆの肉厚の１／２に設定して両裁断面Ｆの肉厚を等しくし、両裁断面Ｆの全体を貼り合わせている（図３、４参照）。これにより、貼り合わせ部Ｓの強度を高めて耐久性の向上を図っている。また、貼り合わせ部Ｓを段差のない平滑面とすることによって履き心地と見栄えの向上を図っている。
【００２６】
さらに、この水中用履物１は、胴部１０と履物本体部２０との貼り合わせ部Ｓを、足首部１３よりも下位に設けている。これは、水中用履物１を装着する際には、足の踵Ｈに最も大きな挿入抵抗が作用するため、内径の小さい足首部１３に貼り合わせ部Ｓを設けると、この貼り合わせ部Ｓは接着剤によって伸縮し難い部分となっているため、踵を挿入（および抜き出し）することができ難くなるからである。
【００２７】
なお、この水中用履物１は、図５に示すように、その外側面の足裏部２２、爪先部２３あるいは踵部２４などにゴム補強材Ｒを接着して、必要な補強を行って最終製品１Ａとするものである。また、最終製品１Ａでは、収納部１２の上端部に面ファスナー製テープやバンド，紐などで構成した係止具３０を設け、この係止具３０を締め付けることによって水が収納部１２および防水服２の内部へ侵入するのをさらに確実に防止することが好ましい。
【００２８】
本発明に係る水中用履物１の第二実施形態を、図７に示す。この水中用履物１の特徴は、貼り合わせ部Ｓを胴部１０ではなく履物本体部２０の甲部２１に設けたことである。こうすることによって、第一実施形態と同様に、装着時（および離脱）における踵に作用する抵抗を軽減し、装着等を容易なものとしている。なお、この水中用履物１の最終製品にも、足裏部２２などの必要箇所にゴム補強材Ｒを接着するものである。また、係止具３０を取り付けることもできる。
【００２９】
本発明における水中用履物１の第三実施形態を、図８および図９に示す。この水中用履物１の特徴は、胴部１０のほぼ全体を二つの筒壁１１のうち、内側の筒壁１１ａの下端部に形成したテーパー状の裁断面Ｆを、外側の筒壁１１ｂの内周面に貼り合わせて底部１２ａを密閉した二層構造に形成したことである。そして、二つの筒壁１１の間を、防水服２の裾口２ａを挿入して密に挟み込む収納部１２としている。
【００３０】
こうした構成とすることによっても、水が防水服２の内部に侵入するのをほぼ確実に防止することができる。また、内側の筒壁１１ａの裁断面Ｆをテーパー状としているので、外側の筒壁１１ｂに対する貼り付け面積を大きくすることができ、強固な貼り付けが可能となる。さらに、内側の筒壁１１ａと外側の筒壁１１ｂとの貼り付け部分は、段差のない平滑面とすることができるので、外観の良い水中用履物１とすることができる。
【００３１】
なお、この水中用履物１は、内側の筒壁１１ａの裁断面Ｆを外側の筒壁１１ｂの内周面に貼り合わせるので、前記第一および第二実施形態のような貼り合わせ部Ｓが形成されない。また、その構成部位は、足首部１３の下位に設ける方が良い。
【００３２】
上記第一、第二および第三実施形態における水中用履物１は、いずれも、発泡体生地片Ｐの表面にナイロンジャージ等の伸縮性を持つ生地をラミネートすることができる。これによって、耐久性の向上を図ることができる。
【図面の簡単な説明】
【００３３】
【図１】本発明に係る水中用履物の第一実施形態を示す斜視図である。
【図２】図１に示す水中用履物を構成する発泡体生地片を示す平面図である。
【図３】図１に示す水中用履物の縦断面図である。
【図４】図１および図３に示す水中用履物の断面分解構成図である。
【図５】図１に示す水中用履物の最終製品の一形態を示す側面図である。
【図６】踵に抵抗が作用する状態を示す説明図である。
【図７】本発明に係る水中用履物の第二実施形態を示す斜視図である。
【図８】本発明に係る水中用履物の第三実施形態を示す縦断面図である。
【図９】図８に示す水中用履物の断面分解構成図である。
【符号の説明】
【００３４】
１          水中用履物
１Ａ        水中用履物（最終製品）
２          防水服
２ａ        裾口
１０        胴部
１１        筒壁
１１ａ      内側の筒壁
１１ｂ      外側の筒壁
１２        収納部
１２ａ      底部
１３        足首部
２０        履物本体部
２１        甲部
２２        足裏部
２３        爪先部
２４        踵部
３０        係止具
Ｆ          裁断面
Ｓ          貼り合わせ部
Ｐ          発泡体生地片
Ｒ          ゴム補強材
【図１】
2010104419.tif 000003
【図２】
2010104419.tif 000004
【図３】
2010104419.tif 000005
【図４】
2010104419.tif 000006
【図５】
2010104419.tif 000007
【図６】
2010104419.tif 000008
【図７】
2010104419.tif 000009
【図８】
2010104419.tif 000010
【図９】
2010104419.tif 000011